(57)【特許請求の範囲】
【請求項１】
被撮影者を撮影し、撮影画像を生成する撮影装置と、
前記撮影画像から人物画像を切り抜き、前記人物画像とテンプレート画像とを合成した合成画像を生成する演算制御部と、
前記人物画像と前記テンプレート画像とを重ね合わせた画像をライブビューに表示する表示部と、
前記合成画像を印画紙にプリントして出力するプリンタと、
前記被撮影者に上方から定常光を照射する上側照明部と、
前記被撮影者に下方から定常光を照射する下側照明部と、
を備え、
前記撮影装置、前記演算制御部及び前記プリンタは筐体内に収容されており、
前記筐体の正面下部の中央に設けられた開閉扉を開けると、前記プリンタがプリント出力した印画物が取り出せるようになっており、
前記下側照明部は、前記筐体の正面下部に設けられており、前記開閉扉より左側に位置する第１下側照明部と、前記開閉扉より右側に位置する第２下側照明部とを有することを特徴とする印画物作製装置。
【請求項２】
前記上側照明部及び前記下側照明部は、それぞれ、複数の電灯と、前記複数の電灯を覆って前記筐体の正面に設けられた拡散板とを備えることを特徴とする請求項１に記載の印画物作製装置。
【請求項３】
前記下側照明部の前記拡散板は上向きに傾斜して配置されていることを特徴とする請求項２に記載の印画物作製装置。
【請求項４】
前記上側照明部の前記拡散板は下向きに傾斜して配置されていることを特徴とする請求項２又は３に記載の印画物作製装置。
【請求項５】
撮影空間内への被撮影者の入室を検知するセンサをさらに備え、
前記演算制御部は、前記印画物作製装置の待機時は前記上側照明部の複数の電灯の一部を点灯させ、前記下側照明部は消灯し、前記センサが被撮影者の入室を検知すると、前記下側照明部を発光させ、前記撮影装置による被撮影者の撮影開始に伴い前記上側照明部の光量を増加させ、撮影中は前記上側照明部及び前記下側照明部の光量を一定に制御することを特徴とする請求項２乃至４のいずれかに記載の印画物作製装置。
【請求項６】
被撮影者の左前方及び右前方から定常光を照射する照明部をさらに備えることを特徴とする請求項１乃至５のいずれかに記載の印画物作製装置。
【請求項７】
撮影空間内又は前記筐体の正面と対向する背景パネルに設けられた光量センサをさらに備え、
前記演算制御部は、前記光量センサの検出結果に基づいて、前記上側照明部又は前記下側照明部の光量を調整することを特徴とする請求項１乃至６のいずれかに記載の印画物作製装置。
【請求項８】
前記筐体の正面下部において、前記第１下側照明部が設けられている前記開閉扉より左側の部分と、前記第２下側照明部が設けられている前記開閉扉より右側の部分とが、前記開閉扉が設けられている中央部分よりも撮影空間とは反対側に後退していることを特徴とする請求項１乃至７のいずれかに記載の印画物作製装置。
【発明の詳細な説明】
【技術分野】
【０００１】
本発明は、印画物作製装置に関する。
【背景技術】
【０００２】
免許証、パスポート、履歴書等に貼付する証明写真を撮影するためのボックス型の写真撮影装置が知られている。写真撮影装置は、人物を撮影し、用途に応じた様々なサイズの写真をプリントして出力する。
【０００３】
また、クロマキー処理により、撮影画像から切り抜いた人物画像にテンプレート画像を合成してプリント出力する写真撮影装置が知られている。利用者は、あらかじめ準備されている様々なテンプレート画像から所望の画像を選択することができる。人物画像とテンプレート画像との合成画像をリアルタイムでライブビューに表示することで、ユーザは撮影をより楽しむことができる。
【０００４】
クロマキー処理では、撮影画像内の人物と壁紙色（背景色）との色差を判別し、撮影画像から人物画像を切り抜く。撮影画像から人物画像を精度良く切り抜くために、壁紙に影が写りこまないように光を照射する必要がある。
【０００５】
閃光を発光するストロボを複数設け、配光・光量を調整する写真撮影装置が知られている。しかし、合成画像をライブビュー表示するために連続的に行われるクロマキー処理において、瞬間的に発せられる光である閃光は照明手段として適していないという問題があった。
【先行技術文献】
【特許文献】
【０００６】
【特許文献１】特開２００６−１９５０６９号公報
【発明の概要】
【発明が解決しようとする課題】
【０００７】
本発明は、上記従来の実状に鑑みてなされたものであり、クロマキー処理に適した光を被写体に照射できる印画物作製装置を提供することを課題とする。
【課題を解決するための手段】
【０００８】
本発明による印画物作製装置は、被撮影者を撮影し、撮影画像を生成する撮影装置と、前記撮影画像から人物画像を切り抜き、前記人物画像とテンプレート画像とを合成した合成画像を生成する演算制御部と、前記人物画像と前記テンプレート画像とを重ね合わせた画像をライブビューに表示する表示部と、前記合成画像を印画紙にプリントして出力するプリンタと、前記被撮影者に上方から定常光を照射する上側照明部と、前記被撮影者に下方から定常光を照射する下側照明部と、を備えるものである。
【０００９】
本発明の一態様による印画物作製装置において、前記撮影装置、前記演算制御部及び前記プリンタは筐体内に収容されており、前記下側照明部は筐体下部の正面の左右両側に配置されている。
【００１０】
本発明の一態様による印画物作製装置において、前記撮影装置、前記演算制御部及び前記プリンタは筐体内に収容されており、前記下側照明部は筐体下部の正面において左右方向に延在して配置されている。
【００１１】
本発明の一態様による印画物作製装置において、前記上側照明部及び前記下側照明部は、それぞれ、複数の電灯と、前記複数の電灯を覆って前記筐体の正面に設けられた拡散板とを備える。
【００１２】
本発明の一態様による印画物作製装置において、前記下側照明部の前記拡散板は上向きに傾斜して配置されている。
【００１３】
本発明の一態様による印画物作製装置において、前記上側照明部の前記拡散板は下向きに傾斜して配置されている。
【００１４】
本発明の一態様による印画物作製装置は、撮影空間内への被撮影者の入室を検知するセンサをさらに備え、前記演算制御部は、前記センサが被撮影者の入室を検知すると、前記下側照明部を発光させる。
【００１５】
本発明の一態様による印画物作製装置において、前記演算制御部は、前記撮影装置による被撮影者の撮影開始に伴い前記上側照明部の光量を増加させ、撮影中は前記上側照明部及び前記下側照明部の光量を一定に制御する。
【００１６】
本発明の一態様による印画物作製装置は、被撮影者の左前方及び右前方から定常光を照射する照明部をさらに備える。
【発明の効果】
【００１７】
本発明によればクロマキー処理に適した光を被写体に照射できる。
【図面の簡単な説明】
【００１８】
【図１】本発明の実施形態に係る印画物作製装置の斜視図である。
【図２】同実施形態に係る印画物作製装置の筐体の斜視図である。
【図３】同実施形態に係る印画物作製装置の筐体の正面図である。
【図４】同実施形態に係る印画物作製装置のブロック構成図である。
【図５】別の実施形態に係る印画物作製装置の筐体の斜視図である。
【図６】別の実施形態に係る印画物作製装置の筐体の斜視図である。
【図７】別の実施形態に係る印画物作製装置の筐体の斜視図である。
【図８】別の実施形態に係る印画物作製装置の筐体の斜視図である。
【発明を実施するための形態】
【００１９】
以下、本発明の実施の形態を図１〜図４を用いて説明する。図１は本発明の実施形態に係る印画物作製装置の斜視図である。印画物作製装置は、筐体１、天井部２、背景パネル３、及びカーテン４を備え、ユーザを撮影し、撮影画像から人物画像を切り抜き、人物画像とテンプレート画像とを合成した合成画像を印画紙にプリントして、印画物を作製するものである。図２は筐体１の斜視図である。図３は後述する拡散板２２、３２、４２を除いた筐体１の正面図である。図４は、印画物作製装置のブロック構成図である。
【００２０】
背景パネル３は、筐体１の正面１ａと対向して設置され、筐体１と背景パネル３との間の空間が撮影空間となる。背景パネル３のうち、ユーザの背中側に位置する壁紙の色は、クロマキー合成に適した色、例えば緑色や青色になっている。撮影空間に出入りするための出入口にカーテン４が取り付けられ、撮影を行う際に外部からの光を遮断するようになっている。
【００２１】
筐体上部１ｂの正面は、筐体下部１ｃの正面よりも（撮影空間とは反対側に）後退している。筐体上部１ｂにはタッチパネル１２が設けられている。タッチパネル１２は、操作ボタンを表示してユーザからの指示受付部として機能すると共に、ライブビュー画面等を表示する表示部として機能する。また、タッチパネル１２の上方に、撮影窓１５を介して撮影装置１１（図４参照）が設けられている。
【００２２】
撮影窓１５は、撮影空間内で立っているユーザの顔の高さに対応する位置に設けられている。撮影窓１５は、筐体１の壁面に開口部を設け、この開口部にハーフミラーガラス又は透明ガラスを嵌め込むことにより形成される。ハーフミラーガラスは、撮影空間からの光を筐体内へ透過するが、筐体内からの光は撮影空間へほとんど透過しないように構成されている。そのため、撮影空間側から、撮影装置１１を視認し難くなっている。一方、透明ガラスを嵌め込む場合は、撮影装置１１のレンズが視認できるようになり、ユーザの視線をレンズに向けさせ易くなる。
【００２３】
撮影装置１１は、例えばデジタルカメラであり、レンズ、シャッタ、ＣＭＯＳセンサ、Ａ／Ｄ変換器等を有する。撮影装置１１がユーザを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。
【００２４】
筐体上部１ｂの正面側において、タッチパネル１２及び撮影窓１５が設けられている箇所は、それ以外の箇所よりも後退している。タッチパネル１２は、やや上向きの傾斜面に設けられている。
【００２５】
タッチパネル１２の側部には、紙幣受入口１４ａ、硬貨投入口１４ｂ、及び釣銭出金口１４ｃを含む課金部１４が設けられている。
【００２６】
筐体上部１ｂには、撮影窓１５よりも上方に、撮影空間に光を照射する上側照明部２０が設けられている。上側照明部２０は定常光を発光する照明手段であり、例えば拡散板２２と、複数のＬＥＤ電球２４（図３参照）を有する。ＬＥＤ電球２４からの光は、拡散板２２により拡散されて撮影空間に照射される。拡散板２２は、ＬＥＤ電球２４を覆い、略垂直に立った状態となっている。
【００２７】
ＬＥＤ電球２４は、例えば、上下方向及び左右方向に千鳥状（互い違い）に配置される。図３に示す例では、左右方向の１列目に８個、２列目に９個、３列目に８個、４列目に９個の計３４個のＬＥＤ電球２４が配置されている。
【００２８】
筐体下部１ｃの正面（撮影空間に対向する面）の左右両側に、撮影空間に光を照射する下側照明部３０、４０が設けられている。下側照明部３０、４０は定常光を発光する照明手段であり、例えば拡散板３２、４２と、複数のＬＥＤ電球３４、４４（図３参照）を有する。ＬＥＤ電球３４、４４からの光は、拡散板３２、４２により拡散されて撮影空間に照射される。拡散板３２、４２は、ＬＥＤ電球３４、４４を覆い、略垂直に立った状態となっている。
【００２９】
ＬＥＤ電球３４、４４は、例えば、上下方向及び左右方向に等間隔に配置される。図３に示す例では、左右方向の１〜３列目に２個ずつ、計６個のＬＥＤ電球３４、４４が配置されている。
【００３０】
筐体下部１ｃの内部にはプリンタ１３（図４参照）が配置されている。プリンタ１３は、昇華型又はインクジェット型などの高解像度カラープリンタである。下側照明部３０と下側照明部４０との間には、開閉扉１８が開閉自在に設けられている。開閉扉１８を開けると、プリンタ１３がプリント出力した印画物を取り出せるようになっている。
【００３１】
また、図示は省略するが、筐体１には、撮影空間内にユーザが入ってきたことを検知する入室センサや、音声を出力するスピーカ等が設けられている。
【００３２】
図４に示すように、筐体１の内部にはコンピュータ等からなる演算制御装置１０が設けられている。演算制御装置１０は、複数のテンプレート画像を格納する記憶部を備える。演算制御装置１０は、撮影画像データに対して画像処理を施すことができる。また、演算制御装置１０は、照明部２０、３０、４０のＬＥＤ電球２４、３４、４４のオンオフを個別に制御し、光量を調整することができる。
【００３３】
次に、この印画物作製装置を用いた印画物作製処理について説明する。印画物作製装置の待機時、演算制御装置１０は、上側照明部２０のＬＥＤ電球２４の一部を点灯させ、下側照明部３０、４０は消灯する。例えば、図３に示す左右方向２列目の９個のうちの７個のＬＥＤ電球２４を点灯させる。これにより、ユーザは、印画物作製装置が稼働中であることが分かる。
【００３４】
入室センサが、撮影空間内にユーザが入ってきたことを検知すると、演算制御装置１０は下側照明部３０、４０をさらに点灯させる。そして、演算制御装置１０は、タッチパネル１２及びスピーカ（図示略）によるガイダンスを開始する。
【００３５】
例えば、タッチパネル１２に選択可能な複数のテンプレート画像を表示する。ユーザがテンプレート画像を選択すると課金処理が行われる。課金処理後、撮影装置１１がユーザの撮影を開始する。
【００３６】
撮影装置１１による撮影開始に伴い、演算制御装置１０は、上側照明部２０のＬＥＤ電球２４の点灯数を増やし、光量を増加させる。例えば、図３に示す左右方向３列目の８個のうちの６個のＬＥＤ電球２４をさらに点灯させる。ＬＥＤ電球２４の点灯数は、撮影空間の広さや、撮影装置１１の撮影条件（ＩＳＯ感度、絞り、シャッタースピード等）に応じて決定することが好ましい。
【００３７】
撮影装置１１は、撮影画像データを演算制御装置１０へ出力する。演算制御装置１０は、クロマキー処理を行い、撮影画像内の人物（ユーザ）と背景色（壁紙色）との色差を判別し、撮影画像から人物画像を切り抜く。ここで判別される色差とは、色相差、彩度差、又は色相差及び彩度差の組み合わせである。
【００３８】
撮影画像から切り抜かれた人物画像と、ユーザにより選択されたテンプレート画像とを重畳した画像がタッチパネル１２に表示される。人物画像の切り抜きを連続的に行うことで、人物画像にテンプレート画像を合成したような画像がライブビュー表示される。
【００３９】
画像のライブビュー表示は所定時間、例えば１５秒程度行われる。ユーザは、ライブビュー表示を見ながら、ポーズを確認する。所定時間経過後、撮影装置１１が撮影処理を行い、演算制御装置１０は、撮影画像から人物画像を切り抜き、テンプレート画像と合成して合成画像を生成し、タッチパネル１２に表示する。
【００４０】
ユーザが、表示された合成画像を確認し、承認ボタンを押すと、演算制御装置１０は、合成画像データをプリンタ１３へ転送する。
【００４１】
プリンタ１３は、演算制御装置１０から受け取った合成画像データを印画紙にプリントして印画物を出力する。ユーザは、開閉扉１８を開けて印画物を取得できる。
【００４２】
本実施形態によれば、上側照明部２０によりユーザの上側から光を照射し、下側照明部３０、４０によりユーザの下側から光を照射する。ユーザに対し上下から光を照射するため、背景パネル３の壁紙に影が生じることを防止でき、クロマキー処理において撮影画像から人物画像を精度良く切り抜くことができる。
【００４３】
また、上側照明部２０及び下側照明部３０、４０は定常光を照射するため、タッチパネル１２に画像をライブビュー表示している間、ユーザに一定の光量の光が照射される。ライブビュー表示のために撮影画像から人物画像を切り抜く処理が連続的に行われるが、一定の光量の光が継続して照射されているため、人物画像の切り抜き処理を精度良く行うことができる。
【００４４】
上側照明部２０及び下側照明部３０、４０は複数のＬＥＤ電球２４、３４、４４を有しているため、ＬＥＤ電球の点灯数を変えることで、撮影空間の広さや、撮影装置１１の撮影条件に応じた光量の光を照射することができる。撮影空間内や背景パネル３等に光量センサを設置し、光量センサの検出結果に基づいて光量を調整してもよい。
【００４５】
図５に示すように、筐体下部１ｃの左右両側を中央部１ｄより後退させてもよい。図５に示す例では、筐体下部１ｃの左右両側の前面と筐体上部１ｂの前面とがほぼ平坦になっている。これにより、下側照明部３０、４０と、撮影空間内のユーザとの間の距離が長くなり、ユーザの体全体により均等に光を照射することができる。
【００４６】
上記実施形態では、下側照明部３０、４０の拡散板３２、４２が略垂直に立った状態となっていたが、図６に示すように、やや上向きに傾斜して設置してもよい。さらに、上側照明部２０の拡散板２２をやや下向きに傾斜して設置してもよい。これにより、撮影空間内のユーザに対し、より効果的に光を照射できる。
【００４７】
上記実施形態では、筐体下部１ｃの左右両側に上下方向に延在する下側照明部３０、４０を設けていたが、図７に示すように、開閉扉１８の下側に左右方向に延在する下側照明部５０を設けてもよい。下側照明部５０の拡散板を上向きに傾斜させてもよい。
【００４８】
上記実施形態では、上側照明部２０がユーザ上方から定常光を照射し、下側照明部３０、４０がユーザ下方から定常光を照射していたが、図８に示すように、ユーザの左前方から定常光を照射する照明部６０、及びユーザの右前方から定常光を照射する照明部７０をさらに設けてもよい。
【００４９】
照明部２０、３０、４０、５０、６０、７０には、照明ムラのない定常光を発するものを使用することができる。上記実施形態ではＬＥＤ電球を用いていたが、直管蛍光灯型ＬＥＤや、電球形蛍光灯など他の電灯を用いてもよい。
【００５０】
上記実施形態では、印画物作製装置はタッチパネル１２を備えていたが、タッチ機能のないディスプレイと、マウスやボタン等の入力部とを備えた構成としてもよい。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５２】
１  筐体
２  天井部
３  背景パネル
４  カーテン
１０  演算制御装置
１１  撮影装置
１２  タッチパネル
１３  プリンタ
１４  課金部
１５  撮影窓
１８  開閉扉
２０  上側照明部
３０、４０  下側照明部
【図１】
0006801246.tif 000002
【図２】
0006801246.tif 000003
【図３】
0006801246.tif 000004
【図４】
0006801246.tif 000005
【図５】
0006801246.tif 000006
【図６】
0006801246.tif 000007
【図７】
0006801246.tif 000008
【図８】
0006801246.tif 000009